(57)【要約】【課題】ヘルスケア機器の利便性を向上することが可能なヘルスケア機器を提供する。【解決手段】本発明のヘルスケア機器１は、ユーザの生体情報を測定する測定部１０と、制御部２０と、を備え、制御部２０は、複数のモードの中からユーザ情報に応じて１つのモードを選択し、１つ以上の動作パラメータのそれぞれを、選択したモードに応じた規定値に設定し、測定部１０によってユーザの生体情報の測定を開始するとともに、設定した１つ以上の動作パラメータを用いて、測定に関する情報をユーザに報知する。【選択図】図１
2020151110.tif 000002
【特許請求の範囲】
【請求項１】
ユーザの生体情報を測定する測定部と、制御部と、を備えるヘルスケア機器であって、
前記制御部は、
複数のモードの中からユーザ情報に応じて１つのモードを選択し、
１つ以上の動作パラメータのそれぞれを、選択した前記モードに応じた規定値に設定し、
前記測定部によって前記ユーザの前記生体情報の測定を開始するとともに、設定した１つ以上の前記動作パラメータを用いて、前記測定に関する情報を前記ユーザに報知する、ヘルスケア機器。
【請求項２】
請求項１に記載のヘルスケア機器であって、
前記制御部は、前記ユーザの測定履歴に応じて、前記動作パラメータの値を調整する、ヘルスケア機器。
【請求項３】
請求項２に記載のヘルスケア機器であって、
１つ以上の前記動作パラメータは、報知音として用いられる音源を示す第１の動作パラメータを含み、
前記制御部は、測定回数が所定回数を超えると、前記第１の動作パラメータの値を調整する、ヘルスケア機器。
【請求項４】
請求項１乃至３のいずれか一項に記載のヘルスケア機器であって、
１つ以上の前記動作パラメータは、報知音の周波数、音量、又はテンポを示す第２の動作パラメータを含む、ヘルスケア機器。
【請求項５】
請求項１乃至４のいずれか一項に記載のヘルスケア機器であって、
血圧計、体温計、及び体重計のうちいずれか一つである、ヘルスケア機器。
【請求項６】
請求項１乃至５のいずれか一項に記載のヘルスケア機器であって、
質問を出力する出力部と、回答入力を受け付ける入力部とをさらに備え、
前記ユーザ情報は、前記ユーザの属性に関する質問に対する回答に基づいて決定される、ヘルスケア機器。
【請求項７】
請求項１乃至５のいずれか一項に記載のヘルスケア機器であって、
端末装置と通信可能な通信部をさらに備え、
前記制御部は、
前記通信部を介して、前記端末装置から前記ユーザ情報を取得し、又は前記端末装置を通じて、前記測定に関する情報を前記ユーザに報知する、ヘルスケア機器。
【請求項８】
請求項７に記載のヘルスケア機器であって、
前記端末装置は対話機能を有し、
前記ユーザ情報は、前記端末装置と前記ユーザとの対話に基づいて決定される、ヘルスケア機器。
【請求項９】
ヘルスケア機器が実行する方法であって、
ユーザ情報を決定又は取得するステップと、
複数のモードの中から前記ユーザ情報に応じて１つのモードを選択するステップと、
１つ以上の動作パラメータのそれぞれを、選択した前記モードに応じた規定値に設定するステップと、
前記ユーザの生体情報の測定を開始するとともに、設定した１つ以上の前記動作パラメータを用いて、前記測定に関する情報を前記ユーザに報知するステップと、
を含む、方法。
【請求項１０】
ヘルスケア機器に、
ユーザ情報を決定又は取得するステップと、
複数のモードの中から前記ユーザ情報に応じて１つのモードを選択するステップと、
１つ以上の動作パラメータのそれぞれを、選択した前記モードに応じた規定値に設定するステップと、
前記ユーザの生体情報の測定を開始するとともに、設定した１つ以上の前記動作パラメータを用いて、前記測定に関する情報を前記ユーザに報知するステップと、
を実行させるプログラム。
【発明の詳細な説明】
【技術分野】
【０００１】
本発明は、ヘルスケア機器、方法、及びプログラムに関する。
【背景技術】
【０００２】
従来、ユーザの血圧等を測定するヘルスケア機器が知られている。また、ヘルスケア機器には、測定状況等をユーザに知らせる機能を有するものがある。
【０００３】
特許文献１には、最高血圧値と最低血圧値が演算されるまで音楽を流す音楽選択モードと、加圧した上腕の減圧時に減圧値を音声でガイドして最高血圧値が決定したら最高血圧値を音声でガイドする音声ガイド選択モードとを選択可能な血圧計が開示されている。
【先行技術文献】
【特許文献】
【０００４】
【特許文献１】特開２０１０−２１３７８６号公報
【発明の概要】
【発明が解決しようとする課題】
【０００５】
しかしながら、ユーザが自らモードを選択する従来のヘルスケア機器では、ユーザによって選択されたモードが実際にはユーザに適していない場合やユーザ操作が煩雑になる場合があり、利便性について改善の余地がある。
【０００６】
かかる事情に鑑みてなされた本発明の目的は、ヘルスケア機器の利便性を向上することにある。
【課題を解決するための手段】
【０００７】
上記課題を解決するために本発明の一実施形態に係るヘルスケア機器は、ユーザの生体情報を測定する測定部と、制御部と、を備えるヘルスケア機器であって、
前記制御部は、
複数のモードの中からユーザ情報に応じて１つのモードを選択し、
１つ以上の動作パラメータのそれぞれを、選択した前記モードに応じた規定値に設定し、
前記測定部によって前記ユーザの前記生体情報の測定を開始するとともに、設定した１つ以上の前記動作パラメータを用いて、前記測定に関する情報を前記ユーザに報知する。
【０００８】
また、本発明の一実施形態に係る方法は、ヘルスケア機器が実行する方法であって、
ユーザ情報を決定又は取得するステップと、
複数のモードの中から前記ユーザ情報に応じて１つのモードを選択するステップと、
１つ以上の動作パラメータのそれぞれを、選択した前記モードに応じた規定値に設定するステップと、
前記ユーザの生体情報の測定を開始するとともに、設定した１つ以上の前記動作パラメータを用いて、前記測定に関する情報を前記ユーザに報知するステップと、
を含む。
【０００９】
また、本発明の一実施形態に係るプログラムは、
ヘルスケア機器に、
ユーザ情報を決定又は取得するステップと、
複数のモードの中から前記ユーザ情報に応じて１つのモードを選択するステップと、
１つ以上の動作パラメータのそれぞれを、選択した前記モードに応じた規定値に設定するステップと、
前記ユーザの生体情報の測定を開始するとともに、設定した１つ以上の前記動作パラメータを用いて、前記測定に関する情報を前記ユーザに報知するステップと、
を実行させる。
【発明の効果】
【００１０】
本発明によれば、ヘルスケア機器の利便性を向上することが可能となる。
【図面の簡単な説明】
【００１１】
【図１】本発明の一実施形態に係るヘルスケア機器の構成を示す機能ブロック図である。
【図２】本発明の一実施形態に係るヘルスケア機器の変形例の構成を示す機能ブロック図である。
【図３】本発明の一実施形態に係るヘルスケア機器が実行する方法を示すフローチャートである。
【図４】本発明の一実施形態において用いることができるモード及び動作パラメータの例を示す。
【発明を実施するための形態】
【００１２】
以下、本発明の実施形態について、図面を参照して説明する。
【００１３】
はじめに、図１を参照して、本発明の一実施形態に係るヘルスケア機器について説明する。
【００１４】
ヘルスケア機器１としては、血圧計、体温計、及び体重計のうちいずれか一つが挙げられる。ヘルスケア機器１は、測定部１０と、制御部２０と、記憶部３０と、入力部４０と、出力部５０とを備える。
【００１５】
測定部１０は、ユーザの生体情報を測定する。ヘルスケア機器１が血圧計である場合、生体情報としては血圧及び／又は脈拍等が挙げられる。ヘルスケア機器１が体温計である場合、生体情報としては体温等が挙げられる。ヘルスケア機器１が体重計である場合、生体情報としては体重及び／又は体脂肪率等が挙げられる。
【００１６】
ヘルスケア機器１が血圧計である場合、測定部１０は、例えばカフ及び圧力センサを備えることができる。測定部１０は、カフにて動脈を圧し、この時に発生する脈動によるカフの空気袋内の圧力の変化を圧力センサによって検知することで、ユーザの血圧を測定することができる。
【００１７】
ヘルスケア機器１が体温計である場合、測定部１０は、例えばセンサキャップ及び温度センサを備えることができる。測定部１０は、センサキャップに伝わったユーザの熱を温度センサで検出することによって、ユーザの体温を測定することができる。
【００１８】
ヘルスケア機器１が体重計である場合、測定部１０は、例えば可変抵抗体を備えることができる。測定部１０は、可変抵抗体によって検出されたユーザの負荷荷重に基づいて、ユーザの体重を測定することができる。
【００１９】
記憶部３０は、例えばメモリである。記憶部３０には、ヘルスケア機器の各種動作に必要な種々の情報及びプログラムが記憶される。詳細は後述するが、当該情報には、ユーザ情報、モード、動作パラメータ、及び測定に関する情報、複数のモードのそれぞれに応じた動作パラメータの規定値、測定部１０によって測定されたユーザの生体情報、並びに報知音として用いられる音源のデータ等が含まれる。
【００２０】
入力部４０は、ユーザ入力を検出する１つ以上の入力インタフェースを含む。例えば、入力部４０に含まれる入力インタフェースは、物理キー、静電容量キー、出力部５０のディスプレイと一体的に設けられたタッチスクリーン、又は音声入力を受け付けるマイクロフォン等であるが、これらに限られない。
【００２１】
出力部５０は、情報を出力してユーザに通知する１つ以上の出力インタフェースを含む。例えば、出力部に含まれる出力インタフェースは、情報を映像等で出力するディスプレイ、又は情報を音で出力するスピーカ等であるが、これらに限られない。本実施形態では、後述するように、測定に関する情報が、出力部５０を介する報知音の出力によってユーザに報知される。
【００２２】
制御部２０は、１つ以上のプロセッサを含む。制御部２０は、有線又は無線によって、測定部１０、記憶部３０、入力部４０、及び出力部５０に通信接続される。以下、制御部２０について詳細に説明する。
【００２３】
制御部２０は、入力部４０によって受け付けた入力に基づいて、ユーザ情報を決定する。また、制御部２０は、複数のモードの中からユーザ情報に応じて１つのモードを選択する。また、制御部２０は、１つ以上の動作パラメータのそれぞれを、選択したモードに応じた規定値に設定する。以下、ユーザ情報、モード、及び動作パラメータについて詳細に説明する。
【００２４】
ユーザ情報は、ユーザの属性を示す情報を含むことができる。ユーザの属性としては、例えばユーザの年齢、性別、及び介護の要否等が挙げられるが、これらに限られず、ユーザの任意の属性を用いることができる。モードは、ユーザの属性に基づいてユーザを分類するために用いられる。本実施形態では、後述する５つのモードを用いてユーザを分類するが、これに限られず、モードの数は任意に定められてもよい。動作パラメータは、測定に関する情報の報知に用いられる任意のパラメータである。例えばユーザの年齢、性別、介護の要否等の属性に基づいてユーザを分類し、報知音を用いて報知する場合、動作パラメータとしては、報知音の周波数、音量、及びテンポ等を示すパラメータが挙げられるが、これらに限られず、例えば報知音として用いられる音源を示すパラメータ、報知メッセージとして用いられるメッセージを示すパラメータ等、任意のパラメータを用いることができる。
【００２５】
図４を参照して、本実施形態におけるモード及び動作パラメータをより詳細に説明する。なお、本実施形態では、ユーザの属性は、ユーザの年齢、性別、及び介護の要否であり、報知音を用いてユーザへの報知を行う。ユーザが高齢者（具体的には、年齢が第１閾値（例えば６０歳）以上）かつ男性である場合、制御部２０は「高齢者・男性モード」を選択する。ユーザが高齢者かつ女性である場合、制御部２０は「高齢者・女性モード」を選択する。ユーザに介護者がいる（例えば、介護が「要」である）場合、制御部２０は「介護モード」を選択する。ユーザが幼児である（例えば、年齢が第２閾値（例えば、６歳）未満である）場合、制御部２０は「幼児モード」を選択する。これら以外の場合、制御部２０は「その他のモード」を選択する。制御部２０は、それぞれのモードにおいて、動作パラメータである報知音の周波数、音量、及びテンポの値を規定値に設定する。なぜならば、ユーザの年齢及び性別に依存して、ユーザが認知しやすい報知音の周波数、音量、及びテンポがそれぞれ異なるからである。また、ユーザに介護者がいる場合、介護者が報知音を認知することができるように、例えば音量を大きくすることが考えられる。なお、各モードに応じた各動作パラメータの規定値は、例えば実験により予め決定可能である。
【００２６】
図４を参照しつつ上述した例の他に、ユーザの属性としてユーザの年齢を用いて、動作パラメータとして報知音の周波数を用いることもできる。この場合、ユーザの年齢が所定の閾値（例えば６０歳）以上である場合、制御部２０は「高齢者モード」を選択する。一方、ユーザの年齢が上述した閾値未満である場合、制御部２０は「その他のモード」を選択する。そして、制御部２０は、それぞれのモードにおいて、動作パラメータである報知音の周波数の値を規定値に設定する。例えば、制御部２０は、高齢者モードでは報知音の周波数を低く設定し、その他のモードでは報知音の周波数を高く設定することができる。
【００２７】
測定に関する情報は、測定部１０によるユーザの測定状況を示す情報及び／又は測定結果等を含むことができる。測定状況を示す情報は、測定が複数のステップ（例えばカフの加圧ステップ及び減圧ステップ等）を経て実施される場合に、現在進行中のステップを示す情報である。また、測定結果としては、例えば最高血圧値、最低血圧値、脈拍等が挙げられる。
【００２８】
制御部２０は、ユーザの属性に関する質問に対する回答に基づいて、上述したユーザ情報を決定してもよい。より具体的には、制御部２０は、ユーザの属性を尋ねる質問を生成する。次に、制御部２０は、生成した質問を出力部５０によって出力する。次に、制御部２０は、入力部４０によって当該回答を受け付けて、当該回答に基づいて、ユーザ情報を決定する。なお、制御部２０は、例えば回答が無い等、ユーザ情報を決定することができない場合には、複数のモードのうち予め定められた規定のモード（例えば上述したその他のモード）を選択してもよい。
【００２９】
制御部２０は、測定部１０によってユーザの生体情報の測定を開始する。これとともに、制御部２０は、設定した１つ以上の動作パラメータを用いて、測定に関する情報を出力部５０によってユーザに報知する。これにより、ユーザは自らモードを選択する必要がなく、制御部２０がユーザ情報に応じて、ユーザに適したモードを自動的に選択するので、ヘルスケア機器の利便性が向上する。
【００３０】
制御部２０は、ユーザの測定履歴に応じて、動作パラメータの値を調整してもよい。測定履歴は、過去の測定に関する情報に基づいて決定することができ、例えばユーザの測定回数、及び、前回又は過去複数回の報知で用いた動作パラメータの値等を含み得るが、これらに限られず、例えば前回の測定から今回の測定までの時間等を含んでもよい。
【００３１】
例えば、制御部２０は、ユーザの測定回数に応じて、動作パラメータの値を調整してもよい。また、測定部２０は、ユーザの測定回数が所定回数を超えると、動作パラメータの値を調整してもよい。ここで、測定回数との比較に用いられる「所定回数」は、１つ又は複数存在してもよい。例えば音源を用いて報知する場合、制御部２０は、ユーザの測定回数に応じて、報知音として用いられる音源を示す動作パラメータの値を調整することができる。当該動作パラメータの値が調整された結果、使用される音源が変化し、例えば報知音として流れる曲が変化する。また、制御部２０は、測定毎に、音源をランダム再生するように、音源を示す動作パラメータを調整してもよい。この他にも、メッセージを用いて報知する場合、制御部２０は、ユーザの測定回数に応じて、報知メッセージとして用いられるメッセージを示す動作パラメータの値を調整することができる。当該動作パラメータの値が調整された結果、例えば報知メッセージとしてディスプレイ等の出力部５０から出力されるメッセージが変化する。また、制御部２０は、ユーザの測定回数が所定回数を超えると、例えばユーザを褒めるメッセージが出力されるように、メッセージを示す動作パラメータを調整してもよい。当該動作パラメータの値が調整された結果、例えば報知メッセージとしてディスプレイ等の出力部５０からユーザを褒めるメッセージが出力される。これにより、ヘルスケア機器に対するユーザの飽きを低減することが可能となる。また、ヘルスケア機器を継続して使用する意欲やヘルスケア機器の所有感を高めることが可能となる。また、ユーザの健康管理を促進することが可能となる。
【００３２】
また例えば、制御部２０は、前回又は過去複数回の報知で用いた動作パラメータの値に基づいて、次回の報知で用いる動作パラメータの値を調整してもよい。また、制御部２０は、前回又は過去複数回の報知に関するユーザへの質問の回答に基づいて、次回の報知で用いる動作パラメータの値を調整するフィードバック制御を行ってもよい。これにより、ヘルスケアの利便性がさらに向上する。
【００３３】
（変形例）
以下、図２を参照して、本発明の実施形態の変形例について説明する。上述した実施形態においては、ヘルスケア機器１は、測定部１０と、制御部２０と、記憶部３０と、入力部４０と、出力部５０とを備える。これに対して、変形例においては、ヘルスケア機器１は、測定部１０と、制御部２０と、記憶部３０と、通信部６０とを備える。以下、上述した実施形態と異なる点について詳細に説明し、それ以外については既述の説明を援用する。
【００３４】
通信部６０は、端末装置８０と通信可能な通信インタフェースを含む。通信部６０は、例えばWi-Fi（登録商標）等のアクセスポイント７０を介して、端末装置８０と相互に通信可能な通信インタフェースを含むことができる。ただし、通信部６０は、これに限られず、例えばBluetooth（登録商標）等の近距離無線通信によって、端末装置８０と直接通信可能な通信インタフェースを含んでもよい。
【００３５】
端末装置８０は、ユーザに使用される任意の情報処理装置である。端末装置８０には、例えば専用アプリケーションを介して、ユーザ入力によってユーザ情報が入力される。端末装置８０としては、携帯電話、スマートフォン、タブレット端末、スマートスピーカ、又はＰＣ（Personal Computer）等が挙げられる。
【００３６】
制御部２０は、通信部６０を介して、端末装置８０からユーザ情報を取得する。制御部２０は、端末装置８０が対話機能を有する場合、端末装置８０とユーザとの対話に基づいて、ユーザ情報を決定してもよい。対話機能を有する端末装置としては、例えばスマートスピーカ等が挙げられ、制御部２０は、通信部６０を介して、スマートスピーカと無線通信をすることによって、ユーザとの対話に基づいてユーザ情報を決定することができる。
【００３７】
制御部２０は、通信部６０を介して、端末装置８０を通じて、測定に関する情報をユーザに報知する。
【００３８】
変形例によっても、上述した実施形態と同様に、ヘルスケア機器の利便性が向上する。なお、変形例に係るヘルスケア機器１と、アクセスポイント７０と、端末装置８０とを備える測定システムＡを構築してもよい。
【００３９】
次に、図３に示すフローチャートを参照して、本発明の一実施形態に係るヘルスケア機器１が実行する方法の例について説明する。
【００４０】
ステップＳ１００：制御部２０は、ユーザ情報を決定又は取得する。
【００４１】
ステップＳ１００では、図１のヘルスケア機器１の場合、制御部２０は、入力部４０によって受け付けた入力に基づいてユーザ情報を決定することができる。一方、図２のヘルスケア機器１の場合、制御部２０は、アクセスポイント７０及び通信部６０を介して、端末装置８０からユーザ情報を取得することができる。制御部２０は、決定又は取得したユーザ情報を記憶部３０に記憶してもよい。
【００４２】
ステップＳ１１０：続いて、制御部２０は、複数のモードの中からユーザ情報に応じて１つのモードを選択する。
【００４３】
制御部２０は、ステップＳ１１０を実行するにあたり、予め記憶された複数のモード、及びステップＳ１００で記憶されたユーザ情報を記憶部３０から取得してもよい。
【００４４】
ステップＳ１２０：続いて、制御部２０は、１つ以上の動作パラメータのそれぞれを、選択したモードに応じた規定値に設定する。
【００４５】
制御部２０は、ステップＳ１２０を実行するにあたり、予め記憶された動作パラメータの規定値を記憶部３０から取得してもよい。
【００４６】
ステップＳ１３０：続いて、制御部２０は、測定部１０によってユーザの生体情報の測定を開始する。これとともに、制御部２０は、設定した１つ以上の動作パラメータを用いて、測定に関する情報をユーザに報知する。
【００４７】
ステップＳ１３０では、図１のヘルスケア機器１の場合、制御部２０は、出力部５０によって、設定した１つ以上の動作パラメータを用いて、測定に関する情報をユーザに報知することができる。一方、図２のヘルスケア機器１の場合、制御部２０は、通信部６０を介して、設定した１つ以上の動作パラメータに関する情報を端末装置８０に送信する。これによって、制御部２０は、端末装置８０を通じて、設定した１つ以上の動作パラメータを用いて、測定に関する情報をユーザに報知することができる。
【００４８】
制御部２０は、ステップＳ１３０におけるユーザの生体情報、及び測定に関する情報を記憶部３０に記憶してもよい。
【００４９】
以上、本発明を諸図面や実施形態に基づき説明したが、当業者であれば本開示に基づき種々の変形又は修正を行うことが容易であることに注意されたい。したがって、これらの変形又は修正は本発明の範囲に含まれることに留意されたい。例えば、各ステップ等に含まれる機能等は論理的に矛盾しないように再配置可能であり、複数のステップ等を１つに組み合わせたり、あるいは分割したりすることが可能である。
【００５０】
例えば、図２を参照して上述した変形例では、ユーザ情報の取得、及び測定に関する情報の報知を同一の端末装置８０を用いて行う例を説明したが、これに限られない。例えば、ユーザ情報の取得は、第１の端末装置を用いて行ってもよい。また、測定に関する情報の報知は、第１の端末装置とは異なる第２の端末装置を用いて行ってもよい。あるいは、制御部２０は、通信部６０を介してユーザ情報を取得し、出力部５０によって測定に関する情報をユーザに報知してもよい。また、制御部２０は、入力部４０によってユーザ情報を取得し、通信部６０を介して測定に関する情報をユーザに報知してもよい。
【００５１】
また、汎用のヘルスケア機器を、上述した実施形態に係るヘルスケア機器１として機能させる構成も可能である。具体的には、上述した実施形態に係るヘルスケア機器１の各機能を実現する処理内容を記述したプログラムを、ヘルスケア機器のメモリに格納し、ヘルスケア機器のプロセッサによって当該プログラムを読み出して実行させる。したがって、本実施形態に係る発明は、プロセッサが実行可能なプログラムとしても実現可能である。
【符号の説明】
【００５２】
１  ヘルスケア機器
１０  測定部
２０  制御部
３０  記憶部
４０  入力部
５０  出力部
６０  通信部
７０  アクセスポイント
８０  端末装置
Ａ  測定システム
【図１】
2020151110.tif 000003
【図２】
2020151110.tif 000004
【図３】
2020151110.tif 000005
【図４】
2020151110.tif 000006